(57)【要約】【課題】握り部の先端部から後端部までの長さを短くし、小型化を実現すること。【解決手段】  錠前の施錠又は解錠のいずれか一方の情報を選択的に表示する表示窓を有するケース状の握り部に、トリガー部分とスライダー部分を一体に有し、かつ、付勢手段によりトリガー部分が握り部から常に突出する方向に付勢された駆動片と、握り部内で所要量回動することができるように支持され、かつ、標識を有する表示片と、スライダー部分と係脱する表示切替え用可動障害子とをそれぞれ組み込み、駆動片が握り部内へと後退する時、駆動片の運動は変換機構を介して回転運動として表示片に伝えられ、少なくとも表示片の標識が解錠から施錠に切り替わる、携帯型施・解錠表示装置。【選択図】図５
2020159107.tif 000002
【特許請求の範囲】
【請求項１】
錠前の施錠又は解錠のいずれか一方の情報を選択的に表示する表示窓を有するケース状の握り部に、トリガー部分とスライダー部分を一体に有し、かつ、付勢手段により前記トリガー部分が前記握り部から常に突出する方向に付勢された駆動片と、前記握り部内で所要量回動することができるように支持され、かつ、標識を有する表示片と、前記スライダー部分と係脱する表示切替え用可動障害子とをそれぞれ組み込み、前記駆動片が前記握り部内へと後退する時、前記駆動片の運動は変換機構を介して回転運動として前記表示片に伝えられ、少なくとも前記表示片の標識が解錠から施錠に切り替わることを特徴する携帯型施・解錠表示装置。
【請求項２】
請求項１の携帯型施・解錠表示装置に於いて、前記表示片は、少なくとも前記駆動片の表面か又は裏面かの一側面に沿って所要量回動することができるように軸支されていることを特徴する携帯型施・解錠表示装置。
【請求項３】
請求項１又は請求項２の携帯型施・解錠表示装置に於いて、前記駆動片は、トリガー部分とスライダー部分が一体成形された平面視略長板体であり、前記トリガー部分は、握り部の先端部に形成された第１案内部に案内され、一方、前記スライダー部分は幅広胸部に連設する係合腕を有し、この係合腕は、握り部の隔壁状の第２案内部を介して握り部の後端部の内側壁面側に向かって延びていることを特徴する携帯型施・解錠表示装置。
【請求項４】
請求項１乃至請求項３のいずれかの携帯型施・解錠表示装置に於いて、前記駆動片の後端部には、表示切替え用可動障害子と係脱する係合部が設けられ、この係合部は、握り部が錠前の施錠又は解錠方向のいずれかへ所定角度まで回転することにより前記表示切替え用可動障害子の姿勢が位置変位した場合に該表示切替え用可動障害子に係合し、これにより前記駆動片の突出方向への完全な戻りが阻止されることを特徴する携帯型施・解錠表示装置。
【請求項５】
請求項１又は請求項４の携帯型施・解錠表示装置に於いて、前記駆動片は係合腕を有し、この係合腕は対向状態に二本延在し、これら二本の係合腕は、前記表示切替え用可動障害子を抱えるように保持することができることを特徴する携帯型施・解錠表示装置。
【請求項６】
請求項１の携帯型施・解錠表示装置に於いて、前記変換機構は、前記駆動片に形成された駆動カム部と、前記表示片に設けられ従動カム部であることを特徴する携帯型施・解錠表示装置。
【発明の詳細な説明】
【技術分野】
【０００１】
本発明は携帯型施・解錠表示装置に関する。
【背景技術】
【０００２】
特許文献１及び特許文献２は、本発明と同様の「施・解錠状態の表示鍵や表示機能付き握り部」が記載されている。これらの特許文献の共通事項は、「本発明の駆動片に相当する長尺状のスライダー部分の表面に、鍵の挿入方向に沿って施錠標識と解錠標識を並べて表示すること」である。
【０００３】
付言すると、前者の施・解錠状態の表示鍵は、その駆動部材が、トリガー部分と、このトリガー部分に連動する長尺スライダー部分であり、前記長尺スライダー部分の表面に、「あける」、「閉める」などの文字や色彩を含む施・解錠状態を意味するやや幅広の標識が付されている。一方、後者の表示機能付き握り部は、その駆動部材が、本発明の駆動片と同様に一個の部材であるものの、その標識の表示態様については特許文献１と全く同一である。
【０００４】
これらの特許文献１、２の問題点は、標識の視認性を十分に確保するために、スライダー部分を長尺状に形成する必要がある。特に、特許文献２では、トリガー部分とスライダー部分とを一体に形成したスイッチ部材２０は、ケース状の握り部から突出するトリガー部分２７ａ及びこれに連設すると共にやや幅広の標識を有する長板状のスライダー部分であるために、その全長は、直方体形状の握り部の鍵軸方向の長さよりも大きいので、握り部の大きさや形状に自由度がなく、その小型化を実現することができない（符号は特許文献２のもの）。そのため、携帯用の握り部としては、その携帯性にもう少し配慮する必要があった。そこで、出願人は前記問題点を克服するために、従来技術との相違を視点に入れ、本願発明を提案する。
【０００５】
〈従来との相違…視点〉
（ａ）トリガー部分と、該トリガー部分よりも幅広のスライダー部分を一体にすること、好ましくは駆動片を１個にすること。
（ｂ）駆動片と標識を有する表示片とを別部材（別の物品）にすると共に、駆動片に対する表示片の配設態様を工夫すること。例えば表示片を回転可能に支持すること。
（ｃ）部品の組み立て時に省力化を図ること。例えば動力変換機構は、望ましくは幅広のスライダー部分に形成された駆動カム部と、表示片に設けられた従動カム部にすること。同様に駆動片を案内する案内部を別個に製作して握り部に組み込むのではなく、可能な限り、予め握り部の内壁に形成すること。例えば握り部の後端部の内側壁側に、駆動片用の隔壁状第２案内部し、この隔壁状の２案内部に、さらにバネ受け座、軸受け部等の機能を持たせることにより、部品点数を減らすこと。
（ｄ）さらに、表示装置本体が既存鍵を備える場合には、握り部を合理的に構成し、例えば外郭を構成するケース本体又は蓋体のいずれか一方と、握り部に内設した内蓋の両方で既存鍵がガタ付かないようにすること等である。
【先行技術文献】
【特許文献】
【０００６】
【特許文献１】特開２０１２−２４６６３８号公報
【特許文献２】特許第５４６３４４５号公報
【発明の概要】
【発明が解決しようとする課題】
【０００７】
本発明の主たる目的は、特許文献１及び特許文献２の問題点に鑑み、握り部の先端部から後端部までの長さを短くし、これにより小型化を実現することである。第２の目的は、部品点数を減らすことである。その他の目的は、従属項によって特定される。
【課題を解決するための手段】
【０００８】
本発明の携帯型施・解錠表示装置は、錠前の施錠又は解錠のいずれか一方の情報を選択的に表示する表示窓を有するケース状の握り部に、トリガー部分とスライダー部分を一体に有し、かつ、付勢手段により前記トリガー部分が前記握り部から常に突出する方向に付勢された駆動片と、前記握り部内で所要量回動することができるように支持され、かつ、標識を有する表示片と、前記スライダー部分と係脱する表示切替え用可動障害子とをそれぞれ組み込み、前記駆動片が前記握り部内へと後退する時、前記駆動片の運動は変換機構を介して回転運動として前記表示片に伝えられ、少なくとも前記表示片の標識が解錠から施錠に切り替わることを特徴する（請求項１）。前記変換機構は、好ましくは、直線運動を回転運動に変える動力変換機構である。
【０００９】
上記構成に於いて、前記表示片は、少なくとも前記駆動片の表面か又は裏面かの一側面に沿って所要量回動することができるように軸支されていることを特徴する（請求項２、好ましい実施形態）。このように構成すると、例えば表示片を握り部の内部空間に形成した環状又は半円弧状の案内壁で回転可能に支持する実施形態よりも、シンプルな構造で表示片を支持することができる。
【００１０】
また請求項１又は請求項２の携帯型施・解錠表示装置に於いて、前記駆動片は、トリガー部分とスライダー部分が一体成形された平面視略長板体であり、前記トリガー部分は、握り部の先端部に形成された第１案内部に案内され、一方、前記スライダー部分は幅広胸部に連設する係合腕を有し、この係合腕は、握り部の隔壁状の第２案内部を介して握り部の後端部の内側壁面側に向かって延びていることを特徴する（請求項３）。このように構成すると、他の構成要素と合理的に係合する。また請求項１乃至請求項３のいずれかの携帯型施・解錠表示装置に於いて、前記係合腕の後端部には表示切替え用可動障害子と係脱する係合部が設けられ、この係合部は、握り部が錠前の施錠方向へ所定角度まで回転することにより前記表示切替え用可動障害子の姿勢が位置変位した場合に該表示切替え用可動障害子に係合し、これにより前記駆動片の突出方向への完全な戻りが阻止されることを特徴する。さらに、前記駆動片は係合腕を有し、この係合腕は対向状態に二本延在し、これら二本の係合腕は、前記表示切替え用可動障害子を抱えるように保持することができることを特徴する。加えて、前記動力変換機構は、前記駆動片に形成された駆動カム部と、前記表示片に設けられ従動カム部であることを特徴する。その他、色々な特徴があるので、「発明を実施するための形態」の欄で述べる。
【００１１】
なお、この明細書の「駆動片」は、例えばトリガー部分と、該トリガー部分よりも幅広のスライダー部分とが一体に設けられているが、ここで「一体」とは、トリガー部分とスライダー部分が接着剤、ネジ等の固定手段を介して一体的になったもの、トリガー部分とスライダー部分が合成樹脂材、金属等の素材により一体成形されたものを含む概念である。またここで「軸支」とは、軸を有するもの、又は軸を有しないが、軸に代わって案内部等で支持するものが含まれる。
【発明の効果】
【００１２】
本願発明は、握り部の先端部から後端部までの長さを短くし、これにより装置本体を全体的に小型化することができる。したがって、携帯性に優れている。また請求項２以下に記載の発明は、部品点数を減らすことができる。
【図面の簡単な説明】
【００１３】
図１乃至図１７は本発明の一実施形態を示す各説明図。
【図１】既存鍵を含む平面図（握り部のケース本体３が見える）。
【図２】図１を基準とした正面図（握り部のケース本体３が上側で、その蓋体４，５が下方に見える）。
【図３】図１を基準とした左側面図。
【図４】図１の４−４線概略断面図。
【図５】握り部のケース本体３を取り外した平面視からの内部構造を示す説明図。
【図６】握り部のケース本体３のひっくり返し、その凹所に平面視略長板体の駆動片１１などを組み込んだ斜視からの説明図。
【図７】既存鍵２を含む分解斜視図。
【図８】（ａ）表示片の一側面側から見た説明図（鍔状部の一部に従動カム部が見える）。（ｂ）表示片の他側面から見た説明図（鍔状部に明度差がある山形形状の解錠標識とその余の施錠標識が見える）。（ｃ）図８の（ｂ）のＡ−Ａ線断面図。
【図９】（ａ）動力変換機構の初期状態の説明図。（ｂ）動力変換機構によって表示片が駆動片の一側面に沿って所要量回動する旨の説明図。
【図１０】図７で示した表示切替え用可動障害子の拡大図。
【図１１】図１０の１１−１１線断面図。
【図１２】表示片の抜去態様（解錠表示）、表示片の挿通態様（解錠から施錠へ）、表示片の挿止態様（施錠状態のまま）及び表示片の抜止態様（施錠状態を保持）を、フローチャート形式で示した説明図。
【図１３】駆動片のトリガー部分が初期位置（例えばトリガー部分が３ｍｍ突出）の説明図。
【図１４】図１３の状態に於いて、トリガー部分が鍵穴の周辺に押され、このトリガー部分の突出量が０ｍｍになる説明図。
【図１５】図１４の状態に於いて、鍵を鍵穴に挿入したまま９０度回してボールが反対側に移動した説明図。
【図１６】錠前を施錠後に、握り部を水平状態に戻し（鍵を元の状態に戻し）、さらに、鍵を鍵穴から抜いた時に於いて、トリガー部分の突出量が３ｍｍになる説明図。
【図１７】駆動片と表示片と可動障害子の作動状態を一覧表的に示す説明図。
【発明を実施するための形態】
【００１４】
図１乃至図１７は、本発明の一実施形態の携帯型施・解錠表示装置の各説明図である。まず、図１は既存鍵（鍵ともいう）を含む平面図で、握り部のケース本体が見える。また図２は、図１を基準とした正面図で、握り部のケース本体が上側で、その蓋体が下方に見える。さらに、図３は図１を基準とした左側面図である。
【００１５】
これらの図１に於いて、Ｘは携帯型施・解錠表示装置（以下、「本装置Ｘ」という）、１は握り部、２は、例えば建物の玄関扉の錠前に用いられる鍵である。握り部１は、後述するように、ケース本体３と、このケース本体に固着手段を介して結合する大小の蓋体４、５とから成る。実施形態の本装置Ｘは、握り部１（ケース本体３、大きい蓋体４、小さい蓋体５）が、後述するように、抜去態様（後述する駆動片１１が完全に初期位置へ戻った状態）で略水平となる向きで鍵穴に挿入され、双方向の回転、例えば９０度回転することにより、錠前を施錠することができる。
【００１６】
付言すると、外出時、普通一般に玄関扉の図示しない錠前を施錠する場合、例えば水平状態の鍵穴に既存鍵２のブレード２ａを差し込み（挿通態様）、次に鍵挿したままの状態で、施錠方向（例えば右又は左）に９０度回すと施錠状態になる（挿止態様）。次に施錠後、前記既存鍵２を元の水平状態に戻し、そのままの姿勢で既存鍵２を引き抜く（抜止態様）。
【００１７】
実施形態では、前記抜去態様の時は、図１で示すようにケース本体３の弧状の前壁付近の略中央部に形成された表示窓６から解錠標識Ｍ１が現れる。一方、前記抜止態様の時、駆動片１１が後退しているので、前記表示窓５から施錠標識Ｍ２が現れる。
【００１８】
上記解錠標識Ｍ１と施錠標識Ｍ２は、実施形態では、明度差がある色彩、例えば橙色と灰色を用いており、いずれか一方を解錠、他方を施錠と観念付けている。図１は、後述する駆動片のトリガー部分が最大量突出した初期状態（抜去態様）を示しているので、例えば解錠標識Ｍ１を意味する橙色が表示窓５から現れている。なお、実施形態では、前記表示窓５は、図面で示すようにケース本体３の弧状の前壁付近の略中央部に形成されているが、前記解錠標識Ｍ１と施錠標識Ｍ２を設ける位置如何(例えば標識が表示片の側周面にある場合)によっては、それに対応するようにケース本体３の周側壁の適宜部位に形成しても良い。
【００１９】
したがって、本装置Ｘは、外出時に錠前を施錠した場合には、少なくとも施錠状態を握り部１（例えばケース本体３）に施錠情報を表示させ、ユーザーはそれを視認により確認することができる。
【００２０】
ここで、握り部１のケース本体３の外観形状について説明する。握り部１（ケース本体３）の平面視の全体形状は、やや正方形に近く、かつ、その周壁は丸みを帯びている。例えば図１を基準にすると、符号Ａを既存鍵２の挿入方向、符号Ｂを既存鍵２の抜去方向、符号Ｃを握り部の円周方向、符号Ｏは既存鍵２の中心軸線、符号１ａを握り部の前壁部、符号１ｂを握り部の後壁部とした場合に於いて、握り部の前壁部１ａは、半円弧状面となし、一方、握り部の後壁部１ｂの両角を帯びた丸面状に形成することにより、平面視矩形状というよりは、むしろ、平面視略方形の丸面状の握り部となっている。
【００２１】
そして、既存鍵２のブレード２ａの中心軸線上Ｏの握り部１の長さと、該握り部１の前壁部１ａの中央部から突出するブレード２ａの先端までの長さを対比すると、例えば略１対１、又は略１．１対１、あるいは又略１．２対１以内になっている。その理由は、（Ａ）駆動片が一つのみであること、すなわち、駆動片は、首状のトリガー部分と、該トリガー部分よりも幅広のスライダー部分を一体に有し、かつ、付勢手段により前記トリガー部分が前記握り部から常に突出する方向に付勢されていること、（Ｂ）及び前記駆動片と表示片が別個の部材であり、前記表示片は前記駆動片の表面か又は裏面かの一側面に沿って所要量回動することができるように軸支され、かつ、握り部の表示窓側の幅広側面に施錠及び解錠用の標識を設けたことから、ケース状の握り部１の小型化を実現することができる。
【００２２】
なお、既存鍵２は、リバーシブル対応のもの、又はそうでないもののいずれであっても良い。また実施形態は、錠が時計回りで施錠、反時計回り解錠される場合を例に説明するが、本装置Ｘはその反対回動操作の錠にも適用できる。また本発明は、本装置Ｘをクレームしていることから、既存鍵２を構成要件とするもの、又は既存鍵２を備えないものものいずれであっても直接侵害の対象となる。さらに、この明細書及び図面では、便宜上、前記（Ａ）及び（Ｂ）に全く関係のない構成、例えば窓部材であるクリヤーウィンドゥ、窓部材の左右に形成された一対の突片なども記載されているが、これらは実施化レベルの示唆事項であり、本発明の技術的思想に全く関係がない。さらに、実施形態では、既存鍵２の幅広の摘み部分（頭部）は、後述するように保持されている。
【００２３】
次に、図４は図１の４−４線概略断面図、図５は握り部１のケース本体３を取り外した平面視からの内部構造を示す説明図、図６は握り部１のケース本体３のひっくり返し、その凹所に平面視略長板体の駆動片などを組み込んだ斜視からの説明図、そして、図７は既存鍵２を含む分解斜視図である。
【００２４】
特に、図７を参照にして説明すると、図面左側に位置するのがケース本体３、一方、図面右側に位置するのが、大の蓋体４と小の蓋体５である。既存鍵２は、サブクレームでは発明の特定要件になるので、実施形態の一例として図７に描いてある。図７の略真ん中に描いてある幅広固定板７は、縦長状でかつ薄い矩形板であり、その下端部は握り部の弧状前壁部１ａの内側壁面にピッタリと沿うように弧状に形成され、その弧状縁の中央部に不番の舌片状の突部が形成されている。また幅広固定板７の中心部には小孔が形成されていると共に、左右の縁部分には、不番の一対の耳状取り付け部が形成されている。
【００２５】
この幅広固定板７は内蓋に相当することから、例えば図４で示すように扁平状の大の蓋体４の内面に沿って固定的に組み込まれ、前述した既存鍵２の摘み部（頭部）２ｂを、サンドイッチ状に挟持する。これにより、既存鍵２はガタつかない。なお、既存鍵２の摘み部（頭部）２ｂは、設計如何により、ケース本体３又は大きい蓋体４の一方と前記幅広固定板７の両方により、サンドイッチ状に挟持することができる。
【００２６】
次に、図７のケース本体３と幅広固定板７の間に描いている部材が、本発明の特定要件となる駆動片１１と、駆動片用の付勢手段１２と、駆動片１１の幅広一側面に沿って所定角度まで回動する表示片１３とを示してある。一方、前記幅広固定板７と小さい蓋体５との間に表示切替え用可動障害子１４が描かれている。
【００２７】
しかして、本装置Ｘは、錠前の施錠又は解錠のいずれか一方の情報を選択的に表示する表示窓６を有するケース状の握り部１に、トリガー部分１７と、該トリガー部分よりも幅広のスライダー部分１８を一体に有し、かつ、付勢手段１２により前記トリガー部分が前記握り部１から常に突出する方向に付勢された駆動片１１と、この駆動片の表面か又は裏面かの一側面に沿って所要量回動することができるように軸支され、かつ、前記表示窓６側の幅広側面に前記施錠及び解錠用の標識Ｍ１、Ｍ２を有する表示片１３と、前記スライダー部分１８の係合腕１８ｃと係脱する表示切替え用可動障害子１４とをそれぞれ組み込み、前記駆動片１１が前記握り部１内へと後退する時、前記駆動片１１の直線運動は動力変換機構１５を介して回転運動として前記表示片１３に伝えられ、少なくとも前記表示片１３の標識が解錠Ｍ１から施錠Ｍ２に切り替わることを特徴する。
【００２８】
そこで、以下、上記特定要件に関係がある部材について、さらに説明する。図６及び図７で示すように、前記駆動片１１は、首状のトリガー部分１７と幅広のスライダー部分１８が一体成形された平面視略長板体であり、前記トリガー部分１７は、握り部１の先端部、実施形態では弧状の前壁部１ａの中央部に透孔状に形成された第１案内部２１に案内され、一方、前記スライダー部分１８は、握り部１の先端部１ａの内側壁面側に直接または間接的に当接する肩部分１８ａと、この肩部分に連設する幅広胸部１８ｂと、この幅広胸部に連設する複数本の係合腕１８ｃ、１８ｃとを有し、前記係合腕１８ｃは、握り部１の隔壁状の第２案内部２２を介して握り部１の後壁部１ｂの内側壁面側に向かって延びている。
【００２９】
そして、実施形態では、前記係合腕１８ｃの後端部には、表示切替え用可動障害子１４と係脱する互い違い状に対向する単数又は複数の爪状の係合部２５、２５が設けられ、この係合部２５は、握り部１が錠前の施錠方向へ所定角度まで回転することにより前記表示切替え用可動障害子１４の姿勢が位置変位した場合に、該表示切替え用可動障害子１４の溝状の被係合部２６、２６に同時に係合し、これにより前記駆動片１１の突出方向（鍵の挿入方向Ａ）への完全な戻りが阻止される。付言すると、前記一対の係合腕１８ｃは、対向状態に二本延在し、これら二本の係合腕は、前記表示切替え用可動障害子１４の外壁面を抱えるように保持することができる。
【００３０】
さらに、図５、図６を参照にして説明すると、握り部１は、ケース本体３と、このケース本体に一体的に合体する大小の蓋体４，５とから成り、該握り部１は、前記ケース本体と前記大の蓋体４或いはケース本体３の内面に突出形成された隔壁状の第２案内部２２で区画された第１空間領域と、前記ケース本体３と前記小の蓋体５で区画された第２空間領域とを有し、前記第１空間領域にコイル型の付勢手段１２が組み込まれ、この付勢手段１２の先端部は、図５で示すように駆動片１１の幅広胸部１８ｂの後端面の略中央部に支持され、一方、その付勢手段１２の後端部は前記隔壁状の第２案内部２２の内側面の略中央部（バネ受け座）に支持され、常に駆動片１１を突出方向（鍵の挿入方向Ａ）に付勢している。そして、前記第２空間領域に表示切替え用可動障害子１４が前後一対の軸部２７、２７を介して揺動自在に組み込まれている。
【００３１】
次に図８（ａ）は、表示片１３の一側面１３ａ側から見た説明図で、その鍔状部の一部に従動カム部が見える。一方、図８（ｂ）は、表示片１３の他側面１３ｂから見た説明図で、鍔状部に明度差がある山形形状の解錠標識Ｍ１とその余の施錠標識Ｍ２が見える。そして、図８（ｃ）は前記（ｂ）のＡ−Ａ線断面図である。
【００３２】
これらの図から明らかなように、表示片１３は、握り部１の内壁に突設された軸部３１が嵌入する略真円状の嵌合部３１と、この嵌合部の周壁から半径外方向に、少なくとも略半円弧状又は略扇状のいずれかに突設された鍔状部３２と、この鍔状部の一側面１３ａ側に突設された従動カム部３３と、この従動カム部の位置とは反対側の前記鍔状部３２の他側面１３ｂに付された施錠標識Ｍ２及び解錠標識Ｍ１とから成り、前記施錠標識Ｍ２の面積は、例えば橙色で扇状に描かれた解錠標識Ｍ１よりも大きい。
【００３３】
次に、図９（ａ）は、動力変換機構１５の初期状態の説明図。図９（ｂ）は、動力変換機構１５によって表示片１３が駆動片１１の一側面に沿って所要量回動する旨の説明図である。動力変換機構１５は、複数個のピニオン及びラックではなく、部品点数を減らす、駆動片１１の長さを極力短くする等により、発明の主たる課題を達成するため、望ましくは、駆動片１１のスライダー部分１８の幅広胸部１８ｂの略中央部に形成した開口部２８の縁部分に形成した駆動カム部２９と、握り部１内に設けられた軸部８に直接又は間接的に軸支された従動カム部３３であり、この従動カム部３３は、実施形態では、前述したように表示片１３の一側壁又は他側壁に設けられている。
【００３４】
次に、図１０は図７で示した表示切替え用可動障害子の拡大図、図１１は図１０の１１−１１線断面図である。これらの図を参照にして表示切替え用可動障害子１４（以下、「可動障害子１４」という）の構成について説明する。ところで、この可動障害子１４の構成は、出願人が提案した特許第５８４６５６９号の段落００２７及び図９、図１２、図１５に示した通り、公知乃至周知の技術である。
【００３５】
したがって、ここでは、簡単に説明するが、この特許第５８４６５６９号の発明と相違する点は、握り部１の案内部材を貫通する規制アームや係合腕或いは脚部が、可動障害子１４の揺動方向のストッパー機能の役割を果たすものではなく、この実施形態の可動障害子１４の揺動は、好ましくは、部品が増えることや構造の複雑化を避け、握り部１の内壁面に直接当接することにより停止するように第２空間領域に組み込んでいる。なお、可動障害子１４は、外壁面に一対の被係合部２６、２６を有する長筒状ガイド１４ａと、この長筒状ガイドに組み込まれ玉状の重心移動体１４ｂの二物品から成り、握り部１の後端部側の第２空間領域内に揺動自在に組み込まれる。
【００３６】
次に図１２は、表示片１３の抜去態様（解錠表示）、表示片１３の挿通態様（解錠から施錠へ）、表示片１３の挿止態様（施錠状態のまま）及び表示片１３の抜止態様（施錠状態を保持）を、フローチャート形式で示した説明図である。ここで「抜去態様」とは、抜止態様に於いて、駆動片１１のトリガー部分１７を握り部１に若干押し込み、かつ、握り部１を適宜に反転や回転をするとこにより、駆動片１１が付勢手段１２の付勢力により、初期位置まで突出したことをいう（図１３を参照）。例えば図１３は、駆動片１１のトリガー部分１７が初期位置（例えばトリガー部分が３ｍｍ突出）の説明図である。この時、表示窓６には解錠Ｍ１が現れる。
【００３７】
また「挿通態様」とは、トリガー部分１７が鍵穴の周辺Ｙに押され駆動片１１が最大の位置まで後退したことをいう。例えば図１４は、図１３の状態に於いて、トリガー部分１７が鍵穴の周辺Ｙに押され、このトリガー部分１７の突出量が０ｍｍになる説明図である。この時、動力変換機構１５により、表示片１３が所定量回動することから、標識が解錠Ｍ１から施錠Ｍ２へと切り替わる。
【００３８】
また「挿止態様」とは、鍵２を鍵穴に完全に鍵挿したまま、例えば右へ回した状態をいう。これにより、可動障害子１４の玉状の重心移動体１４ｂが滑動して位置変位するので、その長筒状ガイド１４ａが軸部２７を支点に所定角度まで回転し、その結果、逆方向に傾倒する。この時、可動障害子１４は握り部１の内壁面に直接当接することにより停止する。したがって、図１５は、図１４の状態に於いて、鍵２を鍵穴に挿入したまま９０度回してボール１４ｂが反対側に移動した説明図である。
【００３９】
さらに、「抜止態様」とは、図１６で示すように、錠前を施錠後に、握り部１を水平状態に戻し（鍵２を元の状態に戻し）、さらに、鍵２を鍵穴から抜いた時に於いて、トリガー部分１７の突出量が１ｍｍになる説明図である。この時、駆動片１１の二本の係合腕２５の爪状係合部２５が可動障害子１４の溝状被係合部２６に同時に係合し、いわば駆動片１１の二本の係合腕２５は可動障害子１４を抱えるように保持するので、駆動片１１の突出方向への完全な戻りが阻止される。それ故に、表示窓６の標識は施錠Ｍ２に維持される。
【００４０】
なお、図１７は、駆動片１１と、表示片１３と、可動障害子１４の作動状態が、外観的に判るように、いわば一覧表的に示した説明図である。
【実施例】
【００４１】
第１実施形態では、動力変換機構は、幅広のスライダー部分に形成された駆動カム部と、表示片に設けられ従動カム部であるが、例えば前記駆動カム部をラックに代え、一方、前記表示片を前記ラックに噛合するピニオンに代えると共に、このピニオンの螺合歯と直交する一側表面に、文字、色彩等の施・解錠を意味する標識を付しても良い。したがって、表示片１３は、実施形態では、駆動片１１の表面か又は裏面かの一側面に沿って所要量回動することができるように軸支されているが、必ずしも軸支する必要はなく、例えば握り部の内部空間に、表示片１３用の略弧或いは円形状の案内部を設け、この案内部の内周面に支持されるように表示片１３を配設しても良い。
【００４２】
また設計変更をする場合には、特に図示しないが、駆動片１１の移動量、ピニオンの大きさ等を考慮し、幅広胸部１８ｂの開口部２８の長さ寸法及び幅寸法を適宜に決め、前記開口部２８の縁部分に形成したラックに噛合するように該開口部２８内にピニオンを位置付けると良い。
【００４３】
また、駆動片の係合腕をやや湾曲状に形成する。係合腕の一部を幅広くする、係合腕の一部を細幅にする、係合腕の先の係合部の形状や角度を変える、係合腕の数を増減する等の事項は、発明の主たる課題を逸脱しない範囲で、当業者が容易に設計変更し得る。
その他、握り部に電子部品を内装する等の構成を加味することも可能である。また、握り部の外観形状を略円形（円形に近いもの）にすることも可能である。
【産業上の利用可能性】
【００４４】
発明は、例えば建物の玄関扉の施錠確認のために用いられる携帯型施・解錠表示装置である。
【符号の説明】
【００４５】
Ｘ…携帯型施・解錠表示装置（本装置Ｘ）、
Ｙ…鍵穴の周辺、
１…握り部、
２…鍵（例えば既存鍵）、
３…ケース本体、
４…大きい蓋体、
５…小さい蓋体、
６…表示窓、
７…幅広固定板、
８…軸部、
１１…駆動片、
１２…付勢手段、
１３…表示片、
１４…可動障害子、
１５…動力変換機構、
１７…トリガー部分、
１８…スライダー部分、
１８ｃ…一対の係合腕、
２２…第２案内部、
２７…一対の軸部、
２９…駆動カム部、
３１…嵌合部、
３２…鍔部、
３３…従動カム部、
Ｍ１…解錠、
Ｍ２…施錠、
Ｍ１、Ｍ２…標識。
【図１】
2020159107.tif 000003
【図２】
2020159107.tif 000004
【図３】
2020159107.tif 000005
【図４】
2020159107.tif 000006
【図５】
2020159107.tif 000007
【図６】
2020159107.tif 000008
【図７】
2020159107.tif 000009
【図８】
2020159107.tif 000010
【図９】
2020159107.tif 000011
【図１０】
2020159107.tif 000012
【図１１】
2020159107.tif 000013
【図１２】
2020159107.tif 000014
【図１３】
2020159107.tif 000015
【図１４】
2020159107.tif 000016
【図１５】
2020159107.tif 000017
【図１６】
2020159107.tif 000018
【図１７】
2020159107.tif 000019